(57)【要約】  【課題】  リモコン送信器に配される送信用赤外素子を、コーナー部に配することなく、赤外光を所定の角度で出射することが出来ることを目的とする。  【解決手段】  リモコン内部に空気調和機への運転情報を信号に変換して送信する少なくとも１個の送信用赤外素子２と、送信用赤外素子２からの赤外信号を反射させる反射部３を送信赤外素子２近傍に構成し、リモコンの垂直面に設けた透光部４から反射させた赤外信号を放射する。【選択図】  図２
2005057646.tif 000002
【特許請求の範囲】
【請求項１】
送信器本体と、この送信器本体内部に配され被制御装置への運転情報を信号に変換して送信する少なくとも１個の送信用赤外素子と、前記送信用赤外素子からの赤外信号を反射させる反射部を送信用赤外素子近傍に配し、送信器本体の垂直面に設けた透光部とを備え、前記送信用赤外素子からの赤外信号の少なくとも一部を前記反射部で反射させ前記透光部から放射することを特徴としたリモコン送信器。
【請求項２】
送信用赤外素子からの赤外信号を反射させる反射部に前記送信用赤外素子の位置決め用リブを有することを特徴とする請求項１記載のリモコン送信器。
【請求項３】
送信用赤外素子からの赤外信号を反射させる反射部と送信器本体の垂直面に設けた透光部を一体構造としたことを特徴とする請求項１記載のリモコン送信器。
【発明の詳細な説明】
【技術分野】
【０００１】
本発明は、赤外光による通信を行うリモコン送信器に関するものである。
【背景技術】
【０００２】
従来、赤外光によるリモコン送信器には、運転情報をディジタル信号から赤外光信号に変換して送信する赤外素子を複数個搭載していた。また、リモコン送信器本体のコーナー部にその両側にわたって透光部を設け、赤外信号の射出方向を透光部のコーナー部に向けて赤外素子を配置することで赤外光の放射角を確保していた（例えば特許文献１参照）。
【０００３】
以下、従来のリモコン送信器について図４を用いて説明する。図４は従来のリモコン送信器の構成を示す断面図である。同図に於いて赤外利用のリモコン本体７には送信用赤外素子８、コーナー部を含む透光部９を備えている。図４に示すリモコン送信機では、リモコン送信器本体のコーナー部にその両側にわたって透光部９を設け、赤外信号の射出方向を透光部９のコーナー部向けて赤外素子８を配置することで赤外光の放射角を確保できるため、リモコン送信器７を卓上に置いて操作した場合でも赤外信号は空気調和器室内機の赤外受信部に入光する。
【特許文献１】実開平０６−５２３９号公報
【発明の開示】
【発明が解決しようとする課題】
【０００４】
しかしながら上記の従来の構成では、透光部９のコーナー部での屈折を利用して赤外光の出射方向を２方向に分けている。そのためリモコン送信機本体７の上面コーナー部とその両側を赤外光透過樹脂で作られた透光部９としなければならないという課題があった。このことは部品コストの増加だけでなく赤外素子をリモコンのコーナー部に設置するためのスペース確保が必要となり、リモコンの構造的規制やデザイン性の規制にもつながっていた。
【０００５】
本発明は上記従来の問題点を解決するもので、簡単な構成で赤外光の出射角度が得られると共に、赤外素子の配置を自由に出来るリモコン送信器を提供することを目的とする。
【課題を解決するための手段】
【０００６】
この目的を達成するために本発明のリモコン送信器は、送信器本体と、この送信器本体内部に配され被制御装置への運転情報を信号に変換して送信する少なくとも１個の送信用赤外素子と、前記送信用赤外素子からの赤外信号を反射させる反射部を送信用赤外素子近傍に配し、送信器本体の垂直面に設けた透光部とを備え、前記送信用赤外素子からの赤外信号の少なくとも一部を前記反射部で反射させ前記透光部から放射する構成を有している。
【０００７】
この構成によって、赤外光の出射角度が得られると共に、赤外素子の配置を自由に出来るリモコン送信器が得られる。
【発明の効果】
【０００８】
以上のように本発明によれば、赤外素子をリモコン本体のコーナー部に配置することなく、赤外光を所定の角度で出射することが出来るものである。
【発明を実施するための最良の形態】
【０００９】
以下、本発明の実施の形態について図面を参照しながら説明する。
【００１０】
（実施の形態１）
図１は空気調和機用リモコンと空気調和器室内機の赤外光通信構造図である。同図に於いて、赤外利用のリモコン１には送信用赤外素子２、赤外光反射部３を備え、空気調和機の室内機５にはリモコン１から送信された赤外信号を受信してディジタル信号に変換する赤外受信部６備えている。ここで、リモコン１は卓上で操作されることを主眼に置き操作部と表示部が傾斜した形状である。
【００１１】
図２は本発明の実施の形態１における空気調和機用リモコン送信器の要部断面図で、リモコン本体１、赤外信号送信用の赤外素子２、赤外信号を反射する反射部３、リモコン１の垂直面に設けられ赤外光を透過する透光部４である。
【００１２】
赤外素子２の前方下部に設けられた反射部３の上面にはアルミテープによる反射物が構成されている。この反射物はアルミコーティングなど赤外光をはぼ１００％反射する物ならば何でもかまわない。この反射部３は赤外素子２の光軸に対し垂直方向に１５°の角度となるように設置されている。また、この反射部３は赤外素子２の光軸の延長線と交わるところを上端としている。
【００１３】
このとき、赤外素子２の光軸より上方に放射する赤外光は直接出射される。赤外素子２の放射角はおおよそ６０°となっているため、水平から約３０°は直接光となる。一方赤外素子２の光軸より下方に放射される赤外光は、光軸から１５°の角度を有する反射部３で反射されるため、赤外素子２からの赤外光は光軸からの角度α＋１５°の角度で反射する。これにより光軸より下方の赤外光は、水平方向に対して約３０〜６０°の角度で透光部より放射することになる。
【００１４】
すなわち赤外素子２の光軸に対し１５°の傾きを有する反射部３を構成することによりリモコン１の垂直面に設けられた透光部４からでも、水平から６０°の赤外光の放射角を実現し、赤外素子２と透光部４をリモコン上部コーナー部に設置したと同様の効果を得ることができる。
【００１５】
（実施の形態２）
図３は本発明の実施の形態２における空気調和機用のリモコン送信器の要部断面図である。実施の形態１と共通する部分については説明を省略する。
【００１６】
同図において、反射部３の一部に位置決め用リブ３ａを設け、この位置決め用リブ３ａに赤外素子２の鍔部を係止したものである。この構成をなすことにより、赤外素子2を確実に反射部3に所定の角度をもって係止する事ができ、設計通りの角度で赤外光を射出することができ、信号送信の信頼性を向上することができる。
【００１７】
以上のように、本発明の実施の形態では、液晶表示を有し、卓上で操作されることを主眼に置き操作部と表示部が傾斜した形状の送信器本体（以下リモコン）と、このリモコン内部に空気調和機への運転情報を信号に変換して送信する少なくとも１個の送信用赤外素子を有する送信部と、前記送信用赤外素子からの赤外信号を反射させる反射部をリモコンの送信素子近傍に構成し、リモコンの垂直面に設けた透光部から反射させた赤外信号を放射するもので、この構成をなすことにより、赤外素子の光軸に対し１５°の傾きを有する反射部を構成し、リモコンの垂直面に設けられた透光部からでも、水平から６０°の赤外光の放射角を実現し、赤外素子と透光部をリモコン上部コーナー部に設置したと同様の効果を得ることができる。
【００１８】
また、本発明の実施の形態によれば、送信用赤外素子からの赤外信号を反射させる反射部に前記送信用赤外素子の位置決め用リブを有するもので、この構成をなすことにより、赤外素子2を確実に反射部3に所定の角度をもって係止する事ができ、設計通りの角度で赤外光を射出することができ、信号送信の信頼性を向上することができる。
【００１９】
また本発明の実施の形態では、送信用赤外素子からの赤外信号を反射させる反射部とリモコンの垂直面に設けた透光部を一体構造としたもので、この構成をなすことにより、赤外素子2を確実に反射部3に所定の角度をもって係止する事ができ、さらにリモコン本体に対して角度を規定することができ、設計通りの角度で赤外光を射出することができ、信号送信の信頼性を向上することができる。
【図面の簡単な説明】
【００２０】
【図１】本発明の実施の形態１におけるリモコン送信器の使用状態を示す模式図
【図２】本発明の実施の形態１におけるリモコン送信器の断面図
【図３】本発明の実施の形態２におけるリモコン送信器の断面図
【図４】従来のリモコン送信器の断面図
【符号の説明】
【００２１】
１  リモコン
２  赤外素子
３  反射部
４  透光部
【図１】
2005057646.tif 000003
【図２】
2005057646.tif 000004
【図３】
2005057646.tif 000005
【図４】
2005057646.tif 000006